(57)【要約】【課題】封緘装置の粘着シートの交換作業を正確に、また、簡易に行うことができる封緘装置の粘着シート交換用アタッチメントおよび封緘装置の粘着シート交換方法を提供する。【解決手段】粘着シート交換用アタッチメント７９は、供給リール装着用筒７６ｂと巻取りリール装着用筒７８ｂの間で転写ローラ装着用筒８０に粘着シート１が掛け渡された状態で容器８８に収容される。容器８８内で転写ローラ８２等の配置と対応して位置決め、固定された転写ローラ装着用筒８０、供給リール装着用筒７６ｂおよび巻取りリール装着用筒７８ｂのそれぞれのセンターを転写ローラ８２、供給リール８４、巻取りリール８６のそれぞれのセンターに合わせて、粘着シート交換用アタッチメント７９を奥に突き当たるまで、差し込み、容器８８を開いて取り外す。また、転写ローラ装着用筒８０を転写ローラ８２から引き抜く。【選択図】図１３
2007055270.tif 000002
【特許請求の範囲】
【請求項１】
封筒のフラップに粘着剤を転写し、フラップを折り返して封筒本体にフラップを貼着させて封緘する封緘装置であって、それぞれの同一方向側の一端が支持板に回動可能に取り付けられるとともに他の一端が自由端状態に設けられる、フィルム基材上に粘着剤層を設けた粘着シートが巻回された供給リールと該粘着シートを巻き取る巻取りリールの間で該粘着シートが掛け渡される転写ローラと、該転写ローラの直下に先端が位置するように該転写ローラの下方に配置されるフラップ折り返し位置決め板と、該転写ローラに対向して配置されるシリコンゴムからなる補助ローラと、該フラップ折り返し位置決め板の下方に配置される、該封筒を載せる載置板を備え、該フラップ折り返し位置決め板の先端に該フラップの折り返し位置が重なるとともに該フラップを該フラップ折り返し位置決め板の先端から補助ローラ側に突き出すように位置決めして該載置板に載せられる封筒を、該補助ローラが該フラップ折り返し位置決め板の先端を中心点として回動して該フラップを折り返し、さらに該フラップを該転写ローラに押圧して、該フラップに粘着剤を転写するように構成してなる封緘装置に用いる粘着シート交換用アタッチメントであって、
該粘着シートを巻回した供給リール装着用筒と、該粘着シートの始端が係止され、該粘着シートを巻き取るための巻取りリール装着用筒と、該転写ローラに仮に装着する転写ローラ装着用筒を備え、
該供給リール装着用筒と該巻取りリール装着用筒の間で該転写ローラ装着用筒に該粘着シートが掛け渡された形態で容器に収容されてなることを特徴とする封緘装置の粘着シート交換用アタッチメント。
【請求項２】
前記容器が、箱体状であり、前記供給リール、前記巻取りリールおよび前記転写ローラの配置に対応して設けられる、供給リール装着用筒、巻取りリール装着用筒および転写ローラ装着用筒を配置する固定部を備え、該固定部が２つの対向する主面に設けられる半割円状の収容部と、フラッパ状部で構成されることを特徴とする請求項１記載の封緘装置の粘着シート交換用アタッチメント。
【請求項３】
請求項２記載の封緘装置の粘着シート交換用アタッチメントを用いた封緘装置の粘着シート交換方法であって、
使用済みの供給リール装着用筒および巻取りリール装着用筒を供給リールおよび巻取りリールの自由端側から引き抜いて取り外す工程と、粘着シート交換用アタッチメントの半割円状の収容部を上側に位置した状態で、該自由端側から粘着シート交換用アタッチメントを供給して、粘着シート交換用アタッチメントの供給リール装着用筒を供給リールに、巻取りリール装着用筒を巻取りリールにおよび転写ローラ装着用筒を転写ローラに装着する工程と、転写ローラ装着用筒のみを転写ローラから引き抜いて取り外す工程と、容器を取り外す工程を有することを特徴とする封緘装置の粘着シート交換方法。
【発明の詳細な説明】
【技術分野】
【０００１】
本発明は封緘装置に関し、より詳細には、糊付けに用いる封緘装置の粘着シート交換用アタッチメントおよび封緘装置の粘着シート交換方法に関する。
【背景技術】
【０００２】
従来から、事務作業等における少部数の封筒の封緘作業は、水糊やスティックタイプの半固形の糊等を用いて、封筒のフラップ（折り返し）部分に糊を付着させて、手でフラップ部分を折り返した後に押さえてフラップ部分を封筒本体に貼り付けることが封筒１枚毎に繰り返して行われていた。
しかしながら、小部数とはいえ、手作業による封緘作業を日常的に繰り返すことは作業効率上好ましくない。また、部数が多くなると封緘作業に時間がかかりすぎてしまう。
【０００３】
これに対して、大量の封筒の封緘作業を行うために、糊の塗布手段として熱溶解性の接着剤を入れた糊容器と接着剤を溶解するためのヒータと塗布具等を設け、封緘作業を自動的に行う封緘装置が提案されている（例えば特許文献１）。
しかしながら、この封緘装置は、接着剤の保管や補充の作業が必要となるだけでなく、定期的に塗布手段部分の清掃を行わなければならず、装置の維持管理に多大な労力を払わなければならない。
【０００４】
上記の封緘装置の不具合に鑑み、粘着膜を付着させたテープ状のセパレータを用いた貼着機構を設けた封緘装置も提案されている（例えば特許文献２）。この場合、移動中の封筒が所定の位置に来たことをセンサで検知し、粘着膜を封筒の貼着部に転移する構成とされている。
【０００５】
しかしながら、上記の粘着膜を付着させたテープ状のセパレータを用いた貼着機構を設けた封緘装置は、フラップの折り曲げ手段と粘着膜の付着手段がそれぞれ独立に設けられ、かつ独立して作用するように構成されており、また、センサで封筒の移動を検知して、各種制御手段を用いて制御するため、装置が複雑でコストが高くなる。
また、封緘する封筒の幅寸法が異なると、粘着膜を付着させたテープの幅寸法を変更する必要があるため、テープの幅寸法の異なる多種類の接着テープを準備する必要があり、さらにまた、接着テープの交換作業が煩雑である。
またさらに、装置の構造上、封筒のフラップの端部（封筒の長さ方向のフラップ上端部）まで粘着剤を貼着できないので、フラップの端部が捲れてしまい、場合によっては封緘部が剥がれてしまうおそれがある。
【０００６】
そこで、本発明者は、上記の問題点に鑑みて鋭意検討した結果、封緘処理数が例えば１〜１０００部前後の多様な寸法の封筒を、簡易な構造で安価な装置を用いて効率的に封緘することができる封緘装置を開発した（特許文献３）。
この封緘装置の詳細な構造および作用については後述するが、要するに、フィルム基材上に粘着剤層を設けた粘着シートが掛け渡される転写ローラと、転写ローラの直下に先端が位置するように転写ローラの下方に配置されるフラップ折り返し位置決め板と、転写ローラに対向して配置されるシリコンゴムからなる補助ローラと、フラップ折り返し位置決め板の下方に配置される、封筒を載せる載置板を備え、フラップ折り返し位置決め板の先端にフラップの折り返し位置が重なるとともにフラップをフラップ折り返し位置決め板の先端から補助ローラ側に突き出すように位置決めして載置板に載せられる封筒を、補助ローラがフラップ折り返し位置決め板の先端を中心点として回動してフラップを折り返し、さらにフラップを転写ローラに押圧して、フラップに粘着剤を転写するように構成したものである。このとき、粘着シートが巻回された供給リールと粘着シートを巻き取る巻取りリールの間で粘着シートが転写ローラに掛け渡される。
この封緘装置によれば、多様な寸法の封筒を、簡易な構造で安価な装置を用いて効率的に封緘することができる。また、フラップの幅方向（封筒の幅方向）全幅にわたって、又、フラップの後端から先端方向（封筒の長さ方向）にわたって粘着剤を転写できるため、確実に封緘することができる。
【特許文献１】特開昭６０−１７２６２９号公報
【特許文献２】特開平７−１６９５７号公報
【特許文献３】特許第３８２１４４５号公報
【発明の開示】
【発明が解決しようとする課題】
【０００７】
上記のように、本発明者の発明に係る封緘装置は、効率的に封緘することができるため、大量の封筒を封緘処理して装置に装着された粘着シートを比較的短時間で使い終わった後に新しい粘着シートを装着する作業を頻繁に繰り返すことが必要となる。
このとき、粘着シートを巻回した供給リール装着部と、粘着シートを巻き取るための巻取りリール装着部の間に粘着シートを掛け渡した、いわばオープンリールタイプの粘着シート交換部品を、転写ローラに粘着シートを掛け渡しながら、供給リールおよび巻取りリールに装着することになる。
ところが、交換部品が、例えば、いわゆるカセットテープ方式のものであれば、カセットテープをそのままカセットデッキ等の装置に装着することにより、手順を誤ることなく簡単に交換することができるが、上記封緘装置の場合、使用者が上記の交換部品を装着する作業を行うときに、転写ローラに粘着シートを掛け渡す手順を忘れたまま供給リールおよび巻取りリールに交換部品を装着してしまう不具合が起こりえる。また、使用者が装着手順を理解していたとしても、供給リール装着部からの粘着シートの引き出し量を調整し、転写ローラに粘着シートを掛け渡した状態で、供給リール装着部を供給リールに、および巻取りリール装着部を巻取りリールにそれぞれ装着する作業は、煩雑である。
【０００８】
本発明は、上記の問題点に鑑みてなされたものであり、封緘装置の粘着シートの交換作業を正確に、また、簡易に行うことができる封緘装置の粘着シート交換用アタッチメントおよび封緘装置の粘着シート交換方法を提供することを目的とする。
【課題を解決するための手段】
【０００９】
上記目的を達成するために、本発明に係る封緘装置の粘着シート交換用アタッチメントは、
封筒のフラップに粘着剤を転写し、フラップを折り返して封筒本体にフラップを貼着させて封緘する封緘装置であって、それぞれの同一方向側の一端が支持板に回動可能に取り付けられるとともに他の一端が自由端状態に設けられる、フィルム基材上に粘着剤層を設けた粘着シートが巻回された供給リールと該粘着シートを巻き取る巻取りリールの間で該粘着シートが掛け渡される転写ローラと、該転写ローラの直下に先端が位置するように該転写ローラの下方に配置されるフラップ折り返し位置決め板と、該転写ローラに対向して配置されるシリコンゴムからなる補助ローラと、該フラップ折り返し位置決め板の下方に配置される、該封筒を載せる載置板を備え、該フラップ折り返し位置決め板の先端に該フラップの折り返し位置が重なるとともに該フラップを該フラップ折り返し位置決め板の先端から補助ローラ側に突き出すように位置決めして該載置板に載せられる封筒を、該補助ローラが該フラップ折り返し位置決め板の先端を中心点として回動して該フラップを折り返し、さらに該フラップを該転写ローラに押圧して、該フラップに粘着剤を転写するように構成してなる封緘装置に用いる粘着シート交換用アタッチメントであって、
該粘着シートを巻回した供給リール装着用筒と、該粘着シートの始端が係止され、該粘着シートを巻き取るための巻取りリール装着用筒と、該転写ローラに仮に装着する転写ローラ装着用筒を備え、
該供給リール装着用筒と該巻取りリール装着用筒の間で該転写ローラ装着用筒に該粘着シートが掛け渡された形態で容器に収容されてなることを特徴とする。
【００１０】
また、本発明に係る封緘装置の粘着シート交換用アタッチメントは、好ましくは、前記容器が、前記容器が、箱体状であり、前記供給リール、前記巻取りリールおよび前記転写ローラの配置に対応して設けられる、供給リール装着用筒、巻取りリール装着用筒および転写ローラ装着用筒を配置する固定部を備え、該固定部が２つの対向する主面に設けられる半割円状の収容部と、フラッパ状部で構成されることを特徴とする。
【００１１】
また、本発明に係る封緘装置の粘着シート交換方法は、上記の封緘装置の粘着シート交換用アタッチメントを用いた封緘装置の粘着シート交換方法であって、
使用済みの供給リール装着用筒および巻取りリール装着用筒を供給リールおよび巻取りリールの自由端側から引き抜いて取り外す工程と、粘着シート交換用アタッチメントの半割円状の収容部を上側に位置した状態で、該自由端側から粘着シート交換用アタッチメントを供給して、粘着シート交換用アタッチメントの供給リール装着用筒を供給リールに、巻取りリール装着用筒を巻取りリールにおよび転写ローラ装着用筒を転写ローラに装着する工程と、転写ローラ装着用筒のみを転写ローラから引き抜いて取り外す工程と、容器を取り外す工程を有することを特徴とする。
【発明の効果】
【００１２】
本発明に係る封緘装置の粘着シート交換用アタッチメントは、粘着シートを巻回した供給リール装着用筒と、粘着シートを巻き取るための巻取りリール装着用筒と、転写ローラに仮に装着する転写ローラ装着用筒を備え、供給リール装着用筒と巻取りリール装着用筒の間で転写ローラ装着用筒に該粘着シートが掛け渡された形態で容器に収容されているので、供給リール装着用筒を供給リールに、巻取りリール装着用筒を巻取りリールにおよび転写ローラ装着用筒を転写ローラにそれぞれ装着した後、転写ローラ装着用筒を転写ローラから引き抜いて取り外すことで、封緘装置の粘着シートの交換作業を正確に、また、簡易に行うことができる。
また、本発明に係る封緘装置の粘着シート交換用アタッチメントは、容器が、箱体状であり、供給リール、巻取りリールおよび転写ローラの配置に対応して設けられる、供給リール装着用筒、巻取りリール装着用筒および転写ローラ装着用筒を配置する固定部を備え、固定部が２つの対向する主面に設けられる半割円状の収容部と、フラッパ状部で構成されるため、また、本発明に係る封緘装置の粘着シート交換方法は、上記の封緘装置の粘着シート交換用アタッチメントを用いた封緘装置の粘着シート交換方法であって、使用済みの供給リール装着用筒および巻取りリール装着用筒を供給リールおよび巻取りリールの自由端側から引き抜いて取り外す工程と、粘着シート交換用アタッチメントの半割円状の収容部を上側に位置した状態で、該自由端側から粘着シート交換用アタッチメントを供給して、粘着シート交換用アタッチメントの供給リール装着用筒を供給リールに、巻取りリール装着用筒を巻取りリールにおよび転写ローラ装着用筒を転写ローラに装着する工程と、転写ローラ装着用筒のみを転写ローラから引き抜いて取り外す工程と、容器を取り外す工程を有するため、粘着シート交換用アタッチメントの各部材をそのまま、対応する供給リール、巻取りリールおよび転写ローラに装着することで、本発明の効果をより好適に発揮することができる。
【発明を実施するための最良の形態】
【００１３】
以下に本発明の実施形態を図面に基づいて説明する。
【００１４】
まず、本実施の形態に係る封緘装置の粘着シート交換用アタッチメントおよび封緘装置の粘着シート交換方法が好適に適用される封緘装置について説明する。
【００１５】
図１〜３を参照して、封緘装置の構造を説明する。図１は、封緘装置の概略平面図であり、装置の安全カバーや転写ローラ等の後述する粘着剤転写手段を外した状態を示す。また、図２は、図１中、矢印Ａ方向から見た封緘装置の内部の概略側面図である。また、図３は、補助ローラ回動手段の組立て分解斜視図である。
【００１６】
封緘装置２０は、構造部品を収容する本体フレーム２２と、図１中、矢印Ｘ１−Ｘ２方向に移動可能に設けられた一対のアーム２４を介して矢印Ｘ１−Ｘ２方向に移動可能な封筒ストッパー（封筒サイズ変更板）１７を備える。
封緘装置２０は、上端中央に例えば反射式のセンサ２６が設けられる。また、フラップ折り返し位置決め板６が設けられるとともに、フラップ折り返し位置決め板６の下方の、フラップ折り返し位置決め板６と重なる位置に封筒を載せる載置板１５が配置される。なお、参照符合４は補助ローラを、参照符合１３はプレスローラを、参照符合１４は送りローラを、それぞれ示す。これらの部材についてはさらに後述する。
【００１７】
封緘する封筒（図１中、矢印Ｅで示す。）は、図１中、フラップ折り返し位置決め板６の先端（図１中、矢印Ｂで示す。）にフラップＥ１の折り返し位置（図１中、矢印Ｃで示す。）を合わせ、フラップＥ１を補助ローラ４側に突き出すように位置決めして、下方から上方に向けて封緘装置２０に差し込まれ、本体フレーム２２の上端の壁２２ａに封筒Ｅが突き当たった状態で、載置板１５の上に配置される。これにより、センサ２６が封筒Ｅを検知して、装置が駆動され、後述する封緘処理が自動的に行われる。
なお、封筒Ｅを上記のように封緘装置２０にセットした後、封筒ストッパー１７をＸ１方向に移動させて、封筒Ｅの後端（図１中、右端）に突き当たったところで封筒ストッパー１７を止めておくと、以降、同一寸法の封筒Ｅの封緘作業を繰り返すときには、フラップＥ１を上記のように位置決めする代わりに封筒Ｅの後端を封筒ストッパー１７に当接させることで、フラップＥ１を簡単に位置決めすることができる。
【００１８】
図２を参照して、封緘装置２０の構造をさらに説明する。
封緘装置２０は、粘着剤転写手段３０と、補助ローラ４および補助ローラ回動手段３２と、上記したプレスローラ１３および送りローラ１４を有する。
【００１９】
粘着剤転写手段３０は、供給リール２と、転写ローラ１９と、巻取りリール３を備える。
供給リール２には、フィルム基材上にほぼ全幅にわたって粘着剤を塗布または貼付して粘着剤層を形成した粘着シート１が巻回される。粘着シート１は、供給リール２から引き出されて転写ローラ１９に掛け渡され、さらに、粘着剤が剥離された粘着シート１は巻取りリール３で巻き取られるように構成される。なお、図２（および図３以下の各図）において、本体フレーム２２への供給リール２、転写ローラ１９および巻取りリール３の取り付け状態の表示を便宜上省略しているが、供給リール２、転写ローラ１９および巻取りリール３それぞれの同一方向側の一端が、図１に示す壁（支持板）２２ａに回動可能に取り付けられるとともに他の一端が自由端状態に設けられる。
このとき、大量の封筒の封緘処理を行い、粘着剤転写手段３０にセットした粘着シート１を使い切った後に、新しい粘着シート１を簡単にセットできるように、粘着シートを巻回した供給リール装着用筒が供給リールに、および粘着シートの始端が係止された粘着シートを巻き取るための巻取りリール装着用筒が巻取りリールにそれぞれ着脱、交換可能に装着される。この本実施の形態に係る、供給リール装着用筒、巻取りリール装着用筒を備えた粘着シート交換用アタッチメントおよび粘着シート交換方法の詳細は、後述する。
【００２０】
供給リール２および巻取りリール３の間には無端状ベルト５が掛け回される。供給リール２、転写ローラ１９および巻取りリール３は、詳細を後述するように、転写ローラ１９に掛け渡された粘着シート１が、粘着シート１に密着した封筒ＥのフラップＥ１の移動に伴って移動することによって、それぞれが連動して回転する。
粘着シート１は、封緘装置２０で処理予定の幅寸法の異なる多種類の封筒のうちで最大の幅寸法のものに幅寸法を合わせる。但し、これに限らず、粘着シート１の幅寸法を、例えば、最も処理頻度の高い封筒の幅寸法に合わせてもよく、この場合、最も処理頻度の高い封筒よりもさらに幅の大きい封筒については、装置寸法の異なる別の封緘装置で処理する。
なお、図２等に示すように、封緘装置２０において、転写ローラ１９、供給リール２および巻取りリール３は、この順に配列されているが、これに限らず、供給リール２および巻取りリール３の順序を入れ替えて配列してもよい。また、転写ローラ１９は、機構上、フラップ折り返し位置決め板６に近接した高さに配置することが必要であるが、供給リール２および巻取りリール３については、両者の相対的な位置関係を含め、高さ方向の配置に制限はない。ただし、粘着シート１を巻回した供給リール装着用筒を装着した供給リール２がフラップ折り返し位置決め板６に当接しない限度で供給リール２の高さ位置をフラップ折り返し位置決め板６よりも高くすることは当然である。一方、供給リール２および巻取りリール３をできるだけフラップ折り返し位置決め板６に近づけた低い高さに設けると、封緘装置２０の高さ寸法を小型化するうえで好ましい。
【００２１】
補助ローラ４および補助ローラ回動手段３２について、図３の補助ローラ回動手段３２の組立て分解斜視図をさらに参照して説明する。
補助ローラ回動手段３２は、ほぼＬ字状に形成されたアングル３４と、リンク機構４２と、スライド板７を有する。
【００２２】
アングル３４の一端に補助ローラ４が軸止される。アングル３４の折り曲がり箇所（ヒンジ箇所）の軸孔に軸部材（主軸）４０が挿通され、軸部材４０の一端は本体フレーム２２の側壁２２ｂに形成された孔４９、後述するスリット５０およびスライド板７に形成されたスリット３８を挿通してねじ３７で固定される。アングル３４の他の一端である支持アーム８はコイルスプリング１２の一端に係止され、コイルスプリング１２の他の一端は本体フレーム２２に係止される（図示せず。）。
前記したフラップ折り返し位置決め板６は、一側にスリット５０が形成されたアングル状の係合部材６ａが延出される。係合部材６ａのスリット５０が形成された部分がスライド板７に被されて、スリット５０とスリット３８が重なる状態として、フラップ折り返し位置決め板６がスリット３６を挿通して装置本体の内部に延出、配置される。これにより、フラップ折り返し位置決め板６がスライド可能に構成される（前進手段）。
スライド板７には、本体フレーム２２の側壁２２ｂに形成されたスリット４４を挿通して装置本体の内部に延出する棒状の係合部材９の一端が固着される。また、スリット３８、５０を挿通する係合部材（スライド板ガイドねじ）４５が本体フレーム２２の側壁２２ｂに固着される。
リンク機構４２は、クランク１０および連結部材１１を有する。クランク１０の一端には回転軸４６の一端が固着され、回転軸４６の他の一端は本体フレーム２２の側壁２２ｂを挿通して、装置本体の内部に設けられる駆動源４７に接続される。クランク１０の他の一端は、クランク１０よりも長さ寸法が大きい連結部材１１の一端に回動可能に係合される。連結部材１１の他の一端は、ボス状（突起状）に形成された係合部材４８によってスライド板７に回動可能に係合される。
【００２３】
プレスローラ１３および送りローラ１４は、図２に示すようにそれぞれ一対設けられる。プレスローラ１３および送りローラ１４は、いずれも、内容物の収容された封筒の厚みの変化に対応できるように、例えば、コイルスプリングによって一対のローラが当接するように付勢され、あるいはまた、弾性変形に富む材料でローラが形成される。
【００２４】
上記のように構成される封緘装置２０の作用を、図４〜図７を参照して説明する。なお、図４〜図７では、各部材を見やすくするために、図３に示した本体フレーム２２の側壁２２ｂの表示を省略している。
【００２５】
図４は、封緘装置本体の載置板１５と、フラップ折り返し位置決め板６との間に封筒Ｅをセットし、封筒ストッパー１７で、封筒ＥのフラップＥ１の折り目部分Ｃを先フラップ折り返し位置決め板６の先端部に合わせた状態を示す。フラップＥ１は、フラップ折り返し位置決め板６の位置から補助ローラ４の上方に突き出た状態となっている。このとき、クランク３４の支持アーム８はコイルスプリング１２によって左方向に付勢力を加えられた状態にあるが、係合部材９に当接して動きを規制されている。
【００２６】
図４の状態で、センサ２６が作働すると、駆動源４７により回転軸４６が回転し、図５に示すようにクランク１０が回転軸４６を支点として約４５゜時計回り方向に回転し、連結板１１の係合部材４８の箇所が左方向に移動する。これにより、係合部材４５および軸部材４０を２つの支点として、スライド板７が左方向に移動する。このとき、スライド板７に固着された係合部材９も左方向に移動するため、係合部材９が移動した分だけ軸部材４０を支点として支持アーム８が時計回り方向に回動し、クランク３４に一端を固着された補助ローラ４がフラップ折り返し位置決め板６の先端を中心点として回動して立ち上がり、フラップＥ１を押し上げ、折り曲げ、さらに、フラップＥ１を転写ローラ１９に当接させる。このように、補助ローラ４と転写ローラ１９の間にフラップＥ１を挟持することにより、粘着シート１の粘着剤がフラップＥ１の全幅にわたって線状にフラップＥ１に転写される。
なお、図５および以下に説明する図６、図７において、クランク１０の補助ローラ４を支承する部材の一部を破断して、フラップ折り返し位置決め板６の先端等の位置が分かりやすいように表示している。
【００２７】
続いて、図６に示すように、クランク１０がさらに回転すると、係合部材４８のボス部分に当接したフラップ折り返し位置決め板６がスライド板７とともに左方向にさらにスライドし、フラップ折り返し位置決め板６にフラップＥ１が当接する封筒Ｅを左方向（進行方向）に移動させる。そして、フラップＥ１の折り曲げ部分が左方向に移動することにより、フラップＥ１が折り返され、さらには転写ローラ１９と補助ローラ４の間から引き抜かれることで、フラップＥ１に粘着剤を転写した粘着シート１がフラップＥ１の移動に伴って移動し、粘着シート１が巻回され、あるいは掛け渡された供給リール２、転写ローラ１９および巻取りリール３さらには補助ローラ４が連動して回転する。これにより、フラップＥ１の上端部（先端部）まで粘着剤が帯状に確実に転写される。
図５および図６の粘着剤の転写工程において、フラップＥ１の幅寸法が粘着シート１の幅寸法よりも小さい場合、粘着シート１のフラップＥ１からはみ出した部分は補助ローラ４に当接する。粘着シート１のこの部分には転写されない粘着剤が残っているが、補助ローラ４がシリコンゴムでできているため、補助ローラ４に付着して汚損することがない。
【００２８】
さらに図７に示すように、粘着剤を転写処理された封筒Ｅがフラップ折り返し位置決め板６によってプレスローラ１３まで搬送され、プレスローラ１３によって加圧・接着され封止（封緘）される。そして、クランク１０がさらに回転して図４の状態に戻り、センサ２６が封筒の通過を検知して駆動源４７を停止する。その後、センサ２６と連動して駆動源４７の停止後に一定時間動作するようにマイクロスイッチで制御される駆動源（図示せず。）に付勢されて回転する送りローラ１４によって、封止された封筒Ｅが装置の外部に排出されて封緘作業が完了する。
【００２９】
以上説明した封緘装置２０は、多様な寸法の封筒を、簡易な構造で安価な装置を用いて効率的に封緘することができる。また、フラップの幅方向（封筒の幅方向）全幅にわたって、又、フラップの後端から先端方向（封筒の長さ方向）にわたって粘着剤を転写できるため、確実に封緘することができる。
【００３０】
つぎに、上記の封緘装置に好適に適用される、本実施の形態に係る封緘装置の粘着シート交換用アタッチメントおよび封緘装置の粘着シート交換方法について説明する。
なお、以下の説明に使用する以下の各図において、封緘装置の構成部品は、基本的に封緘装置２０の構成部品と対応するものであるため、参照符号を省略する。また、封緘装置の一部の構成が上記の封緘装置２０と異なることがあるが、本実施の形態の説明上、支障を来たすものではない。
【００３１】
まず、封緘装置の粘着シート交換用アタッチメント（以下、他の実施の形態の説明を含め、単にアタッチメントということがある）の第一の実施の形態例について、図８を参照して説明する。
【００３２】
図８に示すアタッチメント５０ａは、粘着シート１を巻回した供給リール装着用筒５２と、粘着シート１の始端が係止され、粘着シート１を巻き取るための巻取りリール装着用筒５４と、転写ローラに仮に装着する転写ローラ装着用筒５６を備える。各筒５２、５４、５６は、適宜の材料で形成することができ、例えば安価な紙管を好適に用いることができる。供給リール装着用筒５２および巻取りリール装着用筒５４は、それぞれ供給リールおよび巻取りリールに装着し、固定した状態で使用するものであるため、供給リールおよび巻取りリールの形状にフィットした形態に形成するが、転写ローラ装着用筒５６は転写ローラに仮に装着し、その後取り外すものであるため、形状や寸法に制限はなく、例えば、転写ローラに緩やかに取り付けられる程度の大きさの中空直方体の筒状形状に形成してもよい。
粘着シート１は、例えば、フィルム基材上に粘着剤層を設けた糊部の全長が１０ｍであり、糊部の始端側には例えば緑色に着色した粘着剤層を設けていないフィルム基材（ブルーリーダー）が延出され、供給リール装着用筒５２に係止される後端側には、例えばオレンジ色に着色した粘着剤層を設けていないフィルム基材（オレンジリーダー）が延出される。なお、粘着シート１の上記の構成は以下の他の実施の形態例においても同様である。
そして、供給リール装着用筒５２と巻取りリール装着用筒５４の間で転写ローラ装着用筒５６に粘着シート１が掛け渡された形態で、例えば紙製等の適宜の容器５８に収容される。供給リール装着用筒５２、巻取りリール装着用筒５４および転写ローラ装着用筒５６は、例えば、搬送、保管等のために容器５６を取り扱う際に、これらの部材ががたつかない程度に、例えばバンド止めその他の適宜の手段で容器５８内に着脱可能に固定される（図示せず。）。
【００３３】
使用済みの供給リール装着用筒および巻取りリール装着用筒を新品に交換するとき、まず、使用済みの供給リール装着用筒および巻取りリール装着用筒をそれぞれ対応する供給リールおよび巻取りリールから取り外す。
ついで、アタッチメント５０ａの容器５６から供給リール装着用筒５２、巻取りリール装着用筒５４および転写ローラ装着用筒５６を一体として取り出し、供給リール装着用筒５２を供給リールに、巻取りリール装着用筒５４を巻取りリールにおよび転写ローラ装着用筒５６を転写ローラに、それぞれ装着する。
ついで、転写ローラ装着用筒５６を転写ローラから引き抜いて取り外す。その後、各部材の位置決め調整や、粘着シート１の使用開始時の位置決め調整およびテンション調整等の適宜の調整を行うことで、粘着シートの交換が完了する。
【００３４】
第一の実施の形態例に係る封緘装置の粘着シート交換用アタッチメント５０ａによれば、封緘装置の粘着シートの交換作業を正確に、また、簡易に行うことができる。
また、アタッチメント５０ａの粘着シート１には、上記のように両端にブルーリーダーおよびオレンジリーダーが設けられているため、封緘装置に供給リール装着用筒５２等の各部材を装着する際の一種のマーカーとして利用することができる。また、このとき、封緘装置の本体フレームの、粘着シート１等を覆う天板部分の供給リール装着用筒５２の上方位置に開口を設けておくと、天板部分を開くことなく開口から覗いたときに、粘着シート１のオレンジリーダーが見えると、供給リール装着用筒５２に巻回された粘着シート１が無くなったことを知ることができる。
【００３５】
つぎに、封緘装置の粘着シート交換用アタッチメントの第二の実施の形態例について、図９および図１０を参照して説明する。
【００３６】
第二の実施の形態例に係るアタッチメントは、容器６０が、例えば図９に展開図を示すような形状の、例えば１枚の紙製のシート６０ａを用いて、図１０に組み立て途中の状態を示す箱体状に組み立てたものである。なお、容器６０を１枚のシート６０ａで形成する代わりに、複数のパーツを用いて組み立ててもよいことは勿論である。
容器６０には、図１０に示すように、１つの主面６２ａの両側に１対の半割円状の収容部６４ａ、６４ｂが対向して設けられ、他の１つの主面６２ｂの両側に５つの舌片状のフラッパ状部６６ａ〜６６ｅが対向して設けられる。これら収容部６４ａ、６４ｂおよびフラッパ状部６６ａ〜６６ｅは、供給リール装着用筒５２、巻取りリール装着用筒５４および転写ローラ装着用筒５６ａを配置する固定部となる。ただし、図９では転写ローラ装着用筒５６ａ用の収容部は設けられていない。
ここで、容器６０に収容される供給リール装着用筒５２等の各部材は、基本的に、第一の実施の形態例に係る封緘装置の粘着シート交換用アタッチメント５０ａと同様の形状の各部材が、粘着シート１を巻回、係合あるいは掛け渡した状態のものを用いる。ただし、転写ローラ装着用筒５６ａは、粘着シート１を巻回した、大径の供給リール装着用筒５２と同様の径寸法（高さ寸法）で、転写ローラに緩やかに装着することができる程度の大きさの例えば直方体形状に形成される（図１１以降参照）。なお、これに代えて、転写ローラ装着用筒５６ａを図８の転写ローラ装着用筒５６と同様に円筒状に形成し、収容部６４ａ、６４ｂと同様の固定部に配置してもよい。
【００３７】
そして、収容部６４ａ、６４ｂの矢印Ａで示す部分に供給リール装着用筒５２を、矢印Ｂで示す部分に巻取りリール装着用筒５４を、および収容部６４ａ、６４ｂの設けられていない矢印Ｃで示す部分に転写ローラ装着用筒５６ａを、それぞれ配置し、図１０中、矢印Ｄ方向に容器６０を折りたたんで、舌片部６８をスリット７０に差し込むことにより、容器６０が閉じられる。このとき、供給リール装着用筒５２等の各部材が、主面６２ａの収容部６４ａ、６４ｂまたは主面６２ａ自体と、主面６２ｂのフラッパ状部６６ａ〜６６ｅの間に挟持され、容器６０を搬送等する際にがたつかない程度に固定される。ここで、容器６０内で固定された供給リール装着用筒５２等の各部材のセンターの相対位置が封緘装置に設けられる供給リール、巻取りリールおよび転写ローラのそれぞれのセンターの相対位置と一致するように、あらかじめ、容器６０の形状、寸法が設定される。このとき、装置の構造上、供給リール装着用筒５２等を装着する巻取りリールおよび転写ローラのセンターレベルと転写ローラのセンターレベルが異なるが、転写ローラ装着用筒５６ａが転写ローラに比べて大きな寸法に形成されており、また、転写ローラ装着用筒５６ａは仮に装着するものであるため、センター合わせを行ううえで支障はない。
【００３８】
つぎに、上記第二の実施の形態例に係るアタッチメントを用いた本実施の形態例に係る封緘装置の粘着シート交換方法を説明する。
使用済みの供給リール装着用筒および巻取りリール装着用筒を供給リールおよび巻取りリールの自由端側から引き抜いて取り外し、粘着シート交換用アタッチメントの半割円状の収容部６４ａ、６４ｂを上側に位置した状態で、言い換えれば、容器６０の天地を逆にした状態で、自由端側から粘着シート交換用アタッチメントを供給して、供給リール装着用筒５２を供給リールに、巻取りリール装着用筒５４を巻取りリールにおよび転写ローラ装着用筒５６ａを転写ローラに、それぞれ装着する。ついで、容器６０を開いて、転写ローラ装着用筒５６ａに掛け渡した粘着シートを転写ローラに残した状態で転写ローラ装着用筒５６ａを転写ローラから引き抜いて取り外す。ついで、容器６０を引き抜く。その後は、第一の実施の形態例で説明したように、各部材の位置決め調整や、粘着シート１の位置決め調整等の適宜の調整を行うことで、粘着シートの交換が完了する。なお、例えば容器の構造を適宜変更等することで、容器６０を開く手順および転写ローラ装着用筒５６ａを引き抜く手順の２つの手順を適宜入れ替えることができる。
【００３９】
上記の本実施の形態例に係る封緘装置の粘着シート交換方法によれば、粘着シート交換用アタッチメントの供給リール装着用筒等の各部材を供給リール等の各部材の対応する位置に位置決めして装着した後、開いた容器を取り除くだけで、簡単でかつ正確に供給リール装着用筒等の各部材を供給リール等の各部材に取り付けることができる。
また、このとき、供給リール、巻取りリールおよび転写ローラと、封緘装置の例えばフラップ折り返し位置決め板等の他の部材との離間間隔が小さい場合であっても、容易に、粘着シート交換用アタッチメントの各部材を取り付け、容器を取り外すことができる。
なお、粘着シートの交換に際し、最初に第二の実施の形態例に係るアタッチメントの容器６０を開いて、第一の実施の形態例で説明したように、容器６０から供給リール装着用筒５２、巻取りリール装着用筒５４および転写ローラ装着用筒５６ａを一体として取り出し、供給リール装着用筒を供給リールに、巻取りリール装着用筒を巻取りリールにおよび転写ローラ装着用筒を転写ローラに、それぞれ装着してもよい。
【００４０】
ここで、上記本実施の形態例に係る封緘装置の粘着シート交換方法について、図１１〜図１８を参照してさらに詳細に説明する。
【００４１】
まず、図１１に示すように、封緘装置２０の上カバー７２を手前から持ち上げて開いた後、供給リール装着用筒等を装置に固定している固定部材（紙管ガイド）７４に係合するロックレバー７６を開いて、固定部材７４の固定を解除し、さらに固定部材７４を手前に引く。
ついで、図１２に示すように、固定部材７４を左上方に持ち上げた後、使用済みの供給リール装着用筒７６ａおよび巻取りリール装着用筒７８ａを同時に手前に引き抜く。
【００４２】
ついで、図１３に示すように、供給リール装着用筒７６ｂと巻取りリール装着用筒７８ｂの間で転写ローラ装着用筒（ガイド紙）８０に粘着シート１が掛け渡された状態で容器８８に収容された粘着シート交換用アタッチメント７９を準備し、供給リール装着用筒７６ｂおよび巻取りリール装着用筒７８ｂのそれぞれのセンターを供給リール８４および巻取りリール８６のそれぞれのセンターに位置決めするとともに転写ローラ装着用筒８０を転写ローラに装着し、粘着シート交換用アタッチメント７９を奥に突き当たるまで、差し込む。
ついで、図１４に示すように、粘着シート交換用アタッチメント７９の容器８８を剥がすようにして右方向に開いて粘着シート１を露出させ、容器８８の開いた部分を手にもってそのまま引き抜いて、容器８８を全て取り外す。
【００４３】
ついで、図１５に示すように、転写ローラ装着用筒８０を手前方向に転写ローラ８２から引き抜く。
ついで、図１６に示すように、転写ローラ８２に固着されたプーリー９０を回転させながら、供給リール８４および巻取りリール８６のそれぞれに設けられたピン９２ａ、９２ｂに、供給リール装着用筒７６ｂおよび巻取りリール装着用筒７８ｂのそれぞれに形成された切込み部９４ａ、９４ｂを順次合わせて、供給リール装着用筒７６ｂを供給リール８４に、および巻取りリール装着用筒７８ｂを巻取りリール８６にそれぞれセットする。
【００４４】
ついで、図１７に示すように、固定部材７４を下げた後、供給リール装着用筒７６ｂが装着された供給リール８４等の方向に押し込んで、供給リール８４等を固定した後、ロックレバー７６を固定部材７４に係止し、固定する。
ついで、図１８に示すように、プーリー９０を反時計回り方向に回転させて、粘着シート１の粘着剤層を設けた糊部の始端を所定のスタート位置まで送り込んだ後、上カバー７２を閉じることにより、粘着シートの交換が完了する。
なお、図１８中、参照符号９６で示す上カバー７２に形成されたスリットは、前記した粘着シート１の未使用分が無くなったことを示すオレンジリーダーが現れたことを確認するためののぞき窓である。
【図面の簡単な説明】
【００４５】
【図１】本実施の形態の封緘装置の一部の部品を省略して示した概略平面図である。
【図２】図１の封緘装置の内部構造を説明するための概略側面図である。
【図３】補助ローラ回動手段の組立て分解斜視図である。
【図４】本実施の形態の封緘装置の動作を説明するためのものであり、封緘する封筒を挿入セットした状態を示す図である。
【図５】本実施の形態の封緘装置の動作を説明するためのものであり、封筒のフラップの折り目部分を折り曲げて、転写ローラと補助ローラにて挟持し加圧させた状態を示す図である。
【図６】本実施の形態の封緘装置の動作を説明するためのものであり、フラップに、粘着剤層が転写される状態を示す図である。
【図７】本実施の形態の封緘装置の動作を説明するためのものであり、フラップに粘着剤層を転写させた後、封緘する封筒をプレスローラに搬送する状態を示す図である。
【図８】封緘装置の粘着シート交換用アタッチメントの第一の実施の形態例を示す図である。
【図９】封緘装置の粘着シート交換用アタッチメントの第二の実施の形態例に用いる容器の展開図である。
【図１０】図９の展開容器の組み立て途中の状態を示す図である。
【図１１】本実施の形態例に係る封緘装置の粘着シート交換方法を説明するためのものであり、使用済みの粘着シート１を封緘装置から取り出すために封緘装置の上カバーを開いた状態を示す図である。
【図１２】本実施の形態例に係る封緘装置の粘着シート交換方法を説明するためのものであり、使用済みの粘着シート１を封緘装置から取り出す状態を示す図である。
【図１３】本実施の形態例に係る封緘装置の粘着シート交換方法を説明するためのものであり、粘着シート交換用アタッチメントを封緘装置に供給する状態を示す図である。
【図１４】本実施の形態例に係る封緘装置の粘着シート交換方法を説明するためのものであり、粘着シート交換用アタッチメントの容器を開いた状態を示す図である。
【図１５】本実施の形態例に係る封緘装置の粘着シート交換方法を説明するためのものであり、転写ローラ装着用筒を引き抜く状態を示す図である。
【図１６】本実施の形態例に係る封緘装置の粘着シート交換方法を説明するためのものであり、供給リール装着用筒等を供給リール等に固定する状態を示す図である。
【図１７】本実施の形態例に係る封緘装置の粘着シート交換方法を説明するためのものであり、供給リール装着用筒を装着した供給リール等を固定する状態を示す図である。
【図１８】本実施の形態例に係る封緘装置の粘着シート交換方法を説明するためのものであり、粘着シートを位置決めした後、上カバーを閉じるまでの状態を示す図である。
【符号の説明】
【００４６】
１  粘着シート
２、８４  供給リール
３、８６  巻取りリール
４  補助ローラ
５  無端状ベルト
６  フラップ折り返し位置決め板
６ａ  係合部材
７  スライド板
８  支持アーム
９、４５、４８  係合部材
１０  クランク
１１  連結部材
１２  コイルスプリング
１３  プレスローラ
１４  送りローラ
１５  載置板
１７  封筒ストッパー
１９、８２  転写ローラ
２０  封緘装置
２２  本体フレーム
２２ａ  壁
２２ｂ  側壁
２４  アーム
２６  センサ
３０  粘着剤転写手段
３２  補助ローラ回動手段
３４  アングル
３７  ねじ
４０  軸部材
４２  リンク機構
４６  回転軸
４７  駆動源
５０ａ  アタッチメント
５２、７６ａ、７６ｂ  供給リール装着用筒
５４、７８ａ、７８ｂ  巻取りリール装着用筒
５６、８０  転写ローラ装着用筒
５８、６０、８８  容器
６０ａ  シート
６２ａ、６２ｂ  主面
６４ａ、６４ｂ  収容部
６６ａ〜６６ｅ  フラッパ状部
７２  上カバー
７４  固定部材
７６  ロックレバー
７９  粘着シート交換用アタッチメント
９０  プーリー  
【図１】
2007055270.tif 000003
【図２】
2007055270.tif 000004
【図３】
2007055270.tif 000005
【図４】
2007055270.tif 000006
【図５】
2007055270.tif 000007
【図６】
2007055270.tif 000008
【図７】
2007055270.tif 000009
【図８】
2007055270.tif 000010
【図９】
2007055270.tif 000011
【図１０】
2007055270.tif 000012
【図１１】
2007055270.tif 000013
【図１２】
2007055270.tif 000014
【図１３】
2007055270.tif 000015
【図１４】
2007055270.tif 000016
【図１５】
2007055270.tif 000017
【図１６】
2007055270.tif 000018
【図１７】
2007055270.tif 000019
【図１８】
2007055270.tif 000020